(57)【要約】      （修正有）【課題】収容部に収容されたバレル部が、収容部の開口を覆蓋する蓋部の取付け方向と交差する方向への変位を抑制することができる端子カバーを提供する。【解決手段】端子カバー１０は電線Ｗの端末部に圧着され、前方の開口２２を有し、バレル部が前方の開口から収容される収容部２０と収容部の前方の開口を覆蓋する蓋部１６と収容部の内壁のうち前方の開口２２の軸線方向、及び電線Ｗの延在方向Ｄ１の双方と交差する方向に対向する左側の内壁３２Ａ、右側の内壁３２Ｂからバレル部に向けて斜めに突出し、バレル部の両側部１８Ａ、１８Ｂにそれぞれ弾性的に接触する板状の一対の押さえ部３４とを備え、押さえ部の突出方向の端部は前方の開口側に向けて傾斜するテーパー部とされており、一対の押さえ部３４のテーパー部がバレル部の両側部に弾性的に接触し、一対の押さえ部の反力によりバレル部は前方の開口側に押され蓋部と一対の押さえ部との間に挟まれる。【選択図】図４
2020071949.tif 000002
【特許請求の範囲】
【請求項１】
電線の端末部に圧着され、バレル部を有する端子金具を保護するための端子カバーであって、
開口を有し、前記バレル部が前記開口から収容される収容部と、
前記収容部の前記開口を覆蓋する蓋部と、
前記収容部の内壁のうち、前記開口の軸線方向、及び、前記電線の延在方向の双方と交差する方向に対向する一方の内壁、及び、他方の内壁から、前記バレル部に向けて斜めに突出し、前記バレル部の両側部にそれぞれ弾性的に接触する板状の一対の押さえ部と、を備え、
前記押さえ部の突出方向の端部は、前記開口側に向けて傾斜するテーパー部とされており、一対の前記押さえ部の前記テーパー部が前記バレル部の両側部に弾性的に接触し、一対の前記押さえ部の反力により、前記バレル部は、前記開口側に押され、前記蓋部と前記一対の押さえ部との間に挟まれる端子カバー。
【請求項２】
前記テーパー部は、前記開口に近い側に位置する第１テーパー部と、前記開口から遠い側に位置する第２テーパー部と、を備え、前記第１テーパー部の傾斜は、前記第２テーパー部の傾斜よりも緩やかな傾斜となっている請求項１に記載の端子カバー。
【請求項３】
前記押さえ部は、
前記延在方向の一方側に向かう斜め方向に突出し、前記バレル部の側部に弾性的に接触する板状の第１板部と、
前記延在方向の他方側に向かう斜め方向に突出し、前記バレル部の側部に弾性的に接触する板状の第２板部と、を備える請求項１又は請求項２に記載の端子カバー。
【発明の詳細な説明】
【技術分野】
【０００１】
本明細書によって開示される技術は、端子カバーに関する。
【背景技術】
【０００２】
従来の端子カバーの一例として、下記特許文献１に記載の端子カバーが知られている。この端子カバーは、端子金具のバレル部を支持する本体部と、本体部にヒンジを介して開閉可能に連結される蓋部とを備える。蓋部には、閉状態において、バレル部と弾性的に当接することで本体部との間にバレル部を保持する押さえ部が設けられる。押さえ部は、ループ状に延びて少なくとも一端が蓋部の覆い壁に連結される形状をなしている。
【先行技術文献】
【特許文献】
【０００３】
【特許文献１】特開２０１５−９７１４８号公報
【発明の概要】
【発明が解決しようとする課題】
【０００４】
しかしながら、押さえ部は、蓋部の取付け方向からのみバレル部に弾性的に当接しているため、蓋部の取付け方向と交差する方向に対してバレル部が変位するおそれがある。
【課題を解決するための手段】
【０００５】
本明細書で開示される端子カバーは、電線の端末部に圧着され、バレル部を有する端子金具を保護するための端子カバーであって、開口を有し、前記バレル部が前記開口から収容される収容部と、前記収容部の前記開口を覆蓋する蓋部と、前記収容部の内壁のうち、前記開口の軸線方向、及び、前記電線の延在方向の双方と交差する方向に対向する一方の内壁、及び、他方の内壁から、前記バレル部に向けて斜めに突出し、前記バレル部の両側部にそれぞれ弾性的に接触する板状の一対の押さえ部と、を備え、前記押さえ部の突出方向の端部は、前記開口側に向けて傾斜するテーパー部とされており、一対の前記押さえ部の前記テーパー部が前記バレル部の両側部に弾性的に接触し、一対の前記押さえ部の反力により、前記バレル部は、前記開口側に押され、前記蓋部と前記一対の押さえ部との間に挟まれる。
【０００６】
一対の押さえ部は、バレル部の両側部に弾性的に接触しているため、バレル部が蓋部の取付け方向と交差する方向（即ち、開口の軸線方向、及び、電線の延在方向の双方と交差する方向）に変位することを抑制することができる。また、一対の押さえ部のテーパー部は、開口側に向けて傾斜するテーパー状をなしていることから、一対の押さえ部のテーパー部がバレル部に弾性的に接触すると、バレル部は、一対のテーパー部と摺動しながら開口側に押されることとなり、蓋と押さえ部との間に挟まれることとなる。これにより、開口方向におけるバレル部の変位を抑制することができる。
【０００７】
また、前記テーパー部は、前記開口に近い側に位置する第１テーパー部と、前記開口から遠い側に位置する第２テーパー部と、を備え、前記第１テーパー部の傾斜は、前記第２テーパー部の傾斜よりも緩やかな傾斜となっている構成としても良い。
【０００８】
開口に近い側に位置する第１テーパー部の傾斜は、開口から遠い側に位置する第２テーパー部の傾斜よりも緩やかとなっているため、バレル部を収容部の開口から収容する際の誘い込みとなり、バレル部の収容がし易くなる。
【０００９】
また、前記押さえ部は、前記延在方向の一方側に向かう斜め方向に突出し、前記バレル部の側部に弾性的に接触する板状の第１板部と、前記延在方向の他方側に向かう斜め方向に突出し、前記バレル部の側部に弾性的に接触する板状の第２板部と、を備える構成としても良い。
【００１０】
第１板部は延在方向の一方側に向かう斜め方向に突出しており、第２板部は延在方向の他方側に向かう斜め方向に突出していることから、バレル部が延在方向に変位することを抑制することができる。例えば、バレル部が電線の延在方向の一方側に変位しようとすると、延在方向の他方側に向かう第２板部によって、バレル部が延在方向の一方側に変位することが抑制される。また、バレル部が電線の延在方向の他方側に変位しようとすると、延在方向の一方側に向かう第１板部によって、バレル部が電線の延在方向の他方側に変位することが抑制される。
【発明の効果】
【００１１】
本明細書に開示される端子カバーによれば、収容部に収容されたバレル部が、収容部の開口を覆蓋する蓋部の取付け方向と交差する方向への変位を抑制することができる。
【図面の簡単な説明】
【００１２】
【図１】実施形態における端子カバーの正面図
【図２】図１におけるＡ−Ａ断面図
【図３】図２における押さえ部付近の拡大図
【図４】バレル部が収容された状態の端子カバーの正面図
【図５】蓋部が収容部の開口を覆蓋した状態における端子カバーの正面図
【図６】他の実施形態（１）における端子カバーの正面図
【発明を実施するための形態】
【００１３】
＜実施形態＞
図１から図５を参照して本実施形態を説明する。以降の説明では、図１から図５におけるＸ方向を前方、Ｙ方向を右方、Ｚ方向を上方とする。本実施形態の端子カバー１０は、車両のバッテリーに接続される端子金具１２を保護するためのカバーであって、樹脂により形成されており、箱状の本体部１４及び蓋部１６、を備える。
【００１４】
端子金具１２は、図４に示すように、方形状の端子本体部１３と、上下方向に長い筒状をなし、端子本体部１３から下方に突出するバレル部１８と、を有している。バレル部１８は、電線Ｗの端末部に圧着接続され、電線Ｗは、バレル部１８から下方に延びている。また、図示しないものの、バッテリーと接続される接続部は、端子本体部１３の上端から後方に突出して設けられている。
【００１５】
本体部１４には、図１、図２に示すように、前方及び下方が開口する収容部２０が設けられており、バレル部１８（図４に示す）は、収容部２０の前方の開口２２から収容部２０内に収容される。バレル部１８に接続される電線Ｗは、収容部２０内の下方の開口２４から端子カバー１０の外部に延びている。
【００１６】
蓋部１６は、本体部１４に上下一対のヒンジ２６を介して開閉可能に連結されており、蓋部１６が閉じると、図５に示すように、収容部２０の前方の開口２２が蓋部１６によって覆蓋される。
【００１７】
図１、図２に示すように、蓋部１６の本体部１４と対向する面には、左右方向に弾性変位可能な門形の一対の第１ロック部２８が上下方向に所定の間隔を空けて突設されている。また、図１に示すように、本体部１４の右側面には、突状の一対の第２ロック部３０が上下方向に所定の間隔を空けて突設されている。蓋部１６が閉じられると、第１ロック部２８の内側に第２ロック部３０が収まることで、第１ロック部２８は第２ロック部３０に係止され、蓋部１６は本体部１４に取付けられる。
【００１８】
図１に示すように、収容部２０内の左右方向に対向する左側の内壁（一方の内壁）３２Ａ、及び、右側の内壁（他方の内壁）３２Ｂには、板状をなす左右一対の押さえ部３４が斜め方向に突出して設けられている。ここで、左右方向は、図２、図３に示す前方の開口２２の軸線方向Ｄ２（即ち、前後方向であり、蓋部１６の取付け方向）、及び、図４に示す電線Ｗの延在方向Ｄ１（即ち、上下方向）の双方と交差する方向である。図４に示すように、バレル部１８が収容部２０に収容されると、左右一対の押さえ部３４は、バレル部１８の左右両側部１８Ａ、１８Ｂにそれぞれ弾性的に接触する。これにより、バレル部１８は、収容部２０内において左右方向に変位することが抑制されている。
【００１９】
図４に示すように、押さえ部３４は、内壁３２Ａ、３２Ｂの中央部から斜め上方向（延在方向Ｄ１の一方側に向かう斜め方向）に突出する第１板部３６Ａと、内壁３２Ａ、３２Ｂの中央部から斜め下方向（延在方向Ｄ１の他方側）に向かう斜め方向）に突出する第２板部３６Ｂとから構成されている。一対の押さえ部３４は、それぞれ内壁３２Ａ、３２Ｂに向けて撓むことが可能となっており、バレル部１８の両側部１８Ａ、１８Ｂに弾性的に接触する。
【００２０】
図２、図３に示すように、第１板部３６Ａ及び第２板部３６Ｂの突出方向の端部は、前方の開口２２側に向けて傾斜するテーパー部３８とされる。テーパー部３８は、前側（前方の開口２２に近い側）に位置する第１テーパー部３８Ａと、後側（前方の開口２２から遠い側）に位置する第２テーパー部３８Ｂと、から構成されている。第１テーパー部３８Ａの傾斜は、第２テーパー部３８Ｂの傾斜よりも緩やかな傾斜となっており、バレル部１８を収容部２０の前方の開口２２から収容する際に、収容し易くするための誘い込みとなっている。また、端子カバー１０の樹脂成形時において金型を収容部２０内から上方に引き抜く際に、第１板部３６Ａ及び第２板部３６Ｂはアンダーカットが無い形状となっている。これにより、スライド構造無しに端子カバー１０を成形することができるため、金型の型費を抑えることができる。また、端子カバー１０に、第１板部３６Ａ及び第２板部３６Ｂを成形するための型抜き用の孔を設ける必要もない。
【００２１】
図４に示すように、バレル部１８が収容部２０に収容されると、一対の押さえ部３４の突出方向の端部（即ち、第１テーパー部３８Ａ及び第２テーパー部３８Ｂ）が、バレル部１８の両側部１８Ａ、１８Ｂに弾性的に接触する。このとき、第１テーパー部３８Ａ及び第２テーパー部３８Ｂは、それぞれ前方の開口２２側に向けて傾斜していることから、一対の押さえ部３４がバレル部１８に弾性的に接触することにより生じる反力により、バレル部１８は、一対のテーパー部３８と摺動しながら前方の開口２２側に押されることとなる。さらに、蓋部１６を閉じることによって、バレル部１８は、蓋部１６と一対の押さえ部３４との間に挟まれ、バレル部１８は、収容部２０内において前後方向に変位することが抑制される。
【００２２】
また、図１に示すように、第１板部３６Ａは斜め上方向に傾斜しており、第２板部３６Ｂは斜め下方向に傾斜していることから、バレル部１８が上方に変位しようとすると、斜め下方向に傾斜する第２板部３６Ｂが、バレル部１８の上方への変位を抑制し、バレル部１８が下方に変位しようとすると、斜め上方向に傾斜する第１板部３６Ａが、バレル部１８の下方への変位を抑制することとなる。これにより、バレル部１８は、収容部２０内において、上下方向（即ち、延在方向Ｄ１）に変位することが抑制されている。
【００２３】
以上のように本実施形態によれば、一対の押さえ部３４は、バレル部１８の両側部１８Ａ、１８Ｂに弾性的に接触しているため、バレル部１８が蓋部１６の取付け方向と交差する方向（即ち、前方の開口２２の軸線方向Ｄ２、及び、電線Ｗの延在方向Ｄ１の双方と交差する方向）に変位することを抑制することができる。また、一対の押さえ部３４のテーパー部３８は、前方の開口２２側に向けて傾斜するテーパー状をなしていることから、一対の押さえ部３４のテーパー部３８がバレル部１８に弾性的に接触すると、バレル部１８は、一対のテーパー部３８と摺動しながら前方の開口２２側に押されることとなり、蓋部１６と押さえ部３４との間に挟まれることとなる。これにより、前方の開口２２方向におけるバレル部１８の変位を抑制することができる。
【００２４】
また、前方の開口２２に近い側に位置する第１テーパー部３８Ａの傾斜は、前方の開口２２から遠い側に位置する第２テーパー部３８Ｂの傾斜よりも緩やかとなっているため、バレル部１８を収容部２０の前方の開口２２から収容する際の誘い込みとなり、バレル部１８の収容がし易くなる。
【００２５】
また、第１板部３６Ａは延在方向Ｄ１の一方側に向かう斜め方向に突出しており、第２板部３６Ｂは延在方向Ｄ１の他方側に向かう斜め方向に突出していることから、バレル部１８が延在方向Ｄ１に変位することを抑制することができる。例えば、バレル部１８が電線Ｗの延在方向Ｄ１の一方側に変位しようとすると、延在方向Ｄ１の他方側に向かう第２板部３６Ｂによって、バレル部１８が延在方向Ｄ１の一方側に変位することが抑制される。また、バレル部１８が電線Ｗの延在方向Ｄ１の他方側に変位しようとすると、延在方向Ｄ１の一方側に向かう第１板部３６Ａによって、バレル部１８が電線Ｗの延在方向Ｄ１の他方側に変位することが抑制される。
【００２６】
＜他の実施形態＞
本明細書によって開示される技術は上記記述及び図面によって説明した実施形態に限定されるものではなく、例えば次のような種々の態様も含まれる。
（１）上記実施形態では、端子カバー１０の押さえ部３４は、内壁３２Ａ、３２Ｂの中央部から斜め上方向に突出する第１板部３６Ａと、内壁３２Ａ、３２Ｂの中央部から斜め下方向に突出する第２板部３６Ｂと、から構成されていることとしたが、図６に示すように、端子カバー１０Ａの第１板部３６Ｃは、内壁３２Ａ、３２Ｂの上方部から斜め下方向に突出し、第２板部３６Ｄは、内壁３２Ａ、３２Ｂの下方部から斜め上方向に突出する構成としても良い。
（２）上記実施形態では、押さえ部３４は、内壁３２Ａ、３２Ｂの中央部から斜め上方向に突出する第１板部３６Ａと、内壁３２Ａ、３２Ｂの中央部から斜め下方向に突出する第２板部３６Ｂと、から構成されていることとしたが、第１板部又は第２板部のいずれか一方のみ設けられる構成としても良い。また、第１板部及び第２板部は、いずれも斜め上方向に傾斜する構成としても良いし、いずれも斜め下方向に傾斜する構成としても良い。
（３）上記実施形態のバレル部１８と異なる形状、大きさのバレル部についても、第１板部及び第２板部の突出方向の長さ、及び、内壁と押さえ部との間の角度等を調整することで、上記実施形態と同様に適用することができる。
【符号の説明】
【００２７】
１０、１０Ａ：端子カバー
１２：端子金具
１４：本体部
１６：蓋部
１８：バレル部
１８Ａ、１８Ｂ：側部
２０：収容部
２２：前方の開口（開口）
３２Ａ：左側の内壁（一方の内壁）
３２Ｂ：右側の内壁（他方の内壁）
３４：押さえ部
３６Ａ、３６Ｃ：第１板部
３６Ｂ、３６Ｄ：第２板部
３８：テーパー部
３８Ａ：第１テーパー部
３８Ｂ：第２テーパー部
Ｄ１：延在方向
Ｄ２：軸線方向
【図１】
2020071949.tif 000003
【図２】
2020071949.tif 000004
【図３】
2020071949.tif 000005
【図４】
2020071949.tif 000006
【図５】
2020071949.tif 000007
【図６】
2020071949.tif 000008